(57)【特許請求の範囲】
【請求項１】
上部フレームと底部と分割側壁とはね上げ側壁とを有する折り畳みコンテナーにおいて、分割側壁を構成する上部側壁に突設された上部係止突起に、カード差し部材に形成された上部係止雌部材を係止し、また、前記上部側壁に突設された下部係止突起に、カード差し部材に形成された下部係止雌部材を係止することにより、前記上部側壁に、カード差し部材が取り付けられように構成されているとともに、前記カード差し部材に形成された上部係止雌部材の上部が、長手方向に対して垂直な断面が略逆Ｕ字状の上部フレーム内に位置するように構成されていることを特徴とする折り畳みコンテナー。
【請求項２】
分割側壁を構成する上部側壁に突設された上部係止突起及び下部係止突起が、前記上部側壁の複数箇所に設けられていることを特徴とする請求項１に記載の折り畳みコンテナー。
【請求項３】
上部フレームと底部と分割側壁とはね上げ側壁とを有する折り畳みコンテナーにおいて、分割側壁を構成する下部側壁に突設された上部係止突起に、カード差し部材に形成された上部係止雌部材を係止し、また、前記下部側壁に突設された下部係止突起に、カード差し部材に形成された下部係止雌部材を係止することにより、前記下部側壁に、カード差し部材が取り付けられように構成されているとともに、前記カード差し部材に形成された下部係止雌部材の下部が、底部の垂直壁内に位置するように構成されていることを特徴とする折り畳みコンテナー。
【請求項４】
分割側壁を構成する下部側壁に突設された上部係止突起及び下部係止突起が、前記下部側壁の複数箇所に設けられていることを特徴とする請求項３に記載の折り畳みコンテナー。
【発明の詳細な説明】
【０００１】
【発明の属する技術分野】
本発明は、各種物品を、運搬、搬送或いは保管するために使用される折り畳み及び組み立て可能な、所謂、折り畳みコンテナーに関するものである。
【０００２】
【従来の技術】
従来、一方の相対する側壁を、上下方向に分割するとともに、適当なヒンジ部材により連結し、もう一方の相対する側壁を、はね上げ可能に形成した折り畳みコンテナーにおいて、折り畳みコンテナーに収容された物品の配送先や種類や数量等の種々の情報が記載或いは記憶されたカードを保持するためのカード差し部材を、側壁に、溶着等の適当な固着手段により固定的に取り付けたり、或いは、側壁に穿設された透孔に、カード差し部材に形成された係止ピンを嵌着して、カード差し部材を、側壁に取着したものが知られている。
【０００３】
【発明が解決しようとする課題】
従来の折り畳みコンテナーのように、カード差し部材を、溶着等の適当な固着手段により固定的に取り付けた場合には、カード差し部材の位置を変更することができないという問題がある。また、側壁に穿設された透孔に、カード差し部材に形成された係止ピンを嵌着して、カード差し部材を、折り畳みコンテナーに取り付けるようにしたものも、カード差し部材の位置を変更することが困難であり、カード差し部材の位置を変更可能とするために、予め、側壁に多くの透孔を穿設すると、折り畳みコンテナーの取り付けに使用されていない透孔を通して、折り畳みコンテナー内に、水やごみが入りやすいという問題があった。
【０００４】
本発明の目的は、上述した従来の折り畳みコンテナーが有する課題を解決するとともに、物品を収容するために、一旦、折り畳みコンテナーが組み立てられた際には、カード差し部材が折り畳みコンテナーから離脱しないような折り畳みコンテナーを提供することにある。
【０００５】
【課題を解決するための手段】
本発明は、上述した目的を達成するために、上部フレームと底部と分割側壁とはね上げ側壁とを有する折り畳みコンテナーにおいて、第１には、分割側壁を構成する上部側壁に突設された上部係止突起に、カード差し部材に形成された上部係止雌部材を係止し、また、前記上部側壁に突設された下部係止突起に、カード差し部材に形成された下部係止雌部材を係止することにより、前記上部側壁に、カード差し部材が取り付けられように構成されているとともに、前記カード差し部材に形成された上部係止雌部材の上部が、長手方向に対して垂直な断面が略逆Ｕ字状の上部フレーム内に位置するように構成したものであり、第２には、分割側壁を構成する上部側壁に突設された上部係止突起及び下部係止突起を、前記上部側壁の複数箇所に設けたものであり、第３には、分割側壁を構成する下部側壁に突設された上部係止突起に、カード差し部材に形成された上部係止雌部材を係止し、また、前記下部側壁に突設された下部係止突起に、カード差し部材に形成された下部係止雌部材を係止することにより、前記下部側壁に、カード差し部材が取り付けられように構成されているとともに、前記カード差し部材に形成された下部係止雌部材の下部が、底部の垂直壁内に位置するように構成したものであり、第４には、分割側壁を構成する下部側壁に突設された上部係止突起及び下部係止突起を、前記下部側壁の複数箇所に設けたものである。
【０００６】
【実施例】
以下に、本発明の実施例について説明するが、本発明の趣旨を越えない限り何ら、本実施例に限定されるものではない。
【０００７】
折り畳みコンテナーＣは、平面形状が略長方形状で、且つ、長手方向に対して垂直な断面が略逆Ｕ字状に形成されている上部フレーム１と、上部フレーム１の短辺側に形成された溝或いは孔に挿入された支軸を中心に回動可能な、相対して配置された側壁２（以下、単に、「はね上げ側壁」という。）と、上部フレーム１の長辺側に配設された、上下に分割された上部側壁３と下部側壁４とからなる分割側壁５と、底部６とから構成されている。
【０００８】
分割側壁５の上部側壁３の上端部は、図示されていない公知のヒンジ部材により、上部フレーム１にヒンジ結合されており、また、下部側壁４の下端部も、同様に、底部６にヒンジ結合されている。また、分割側壁５を構成する上部側壁３の下端部と下部側壁４の上端部とは、上部側壁３と下部側壁４に、交互に形成されたヒンジ筒３ａ、４ａにヒンジピンｐを挿通することにより構成されたヒンジ部Ｈ１や、上部側壁３の下端部に形成された一対の水平板３ｂに、下部側壁４の上端部に形成されたヒンジピン４ｂを挟持することにより構成されるヒンジ部Ｈ２により、ヒンジ結合されている。
【０００９】
上述した構成を有する折り畳みコンテナーＣは、図１に示されている組み立てられた状態から、相対する一対のはね上げ側壁２を、折り畳みコンテナーＣの内部側に回動して、図２に示されているように、略水平状態にした後に、分割側壁５を形成する上部側壁３と下部側壁４を、それぞれ、ヒンジ部Ｈ１、Ｈ２を介して重ねることにより、折り畳むことができるように構成されている。
【００１０】
分割側壁５を構成する上部側壁３と下部側壁４の外壁面には、後述するカード差し部材が配置される凹部３ｃ、４ｃが、それぞれ形成されている。この凹部３ｃ、４ｃは、カード差し部材の厚さと略同じ深さを有している。
【００１１】
３ｄは、上部側壁３の上端部に所定数形成された凹部３ｅに架橋されたピンであり、ピン３ｄは、上部フレーム１に形成された支持片１ａの下端部に形成された凹部１ａ’に挿入されており、上部フレーム１に対して、上部側壁３がぐらつかないように構成されている。
【００１２】
３ｆ及び３ｇは、上述した上部側壁３の外壁面に形成された凹部３ｃを形成する上部土手部と下部土手部であり、下部側壁４にも、同様に、外壁面に形成された凹部４ｃを形成する上部土手部４ｄと下部土手部４ｅが形成されている。
【００１３】
３ｈは、上部側壁３の上部土手部３ｆより上端部側で、且つ、上部側壁３の上端部に形成された凹部３ｅを挟むように、上部側壁３の外壁面に突設された一対の上部係止突起であり、係止突起３ｈの先端には、略水平方向に延在する係止爪３ｈ’が形成されている。また、下部側壁４の下部土手部４ｅより下端部側で、且つ、上部係止突起３ｈの下方には、上部係止突起３ｈと同様の先端に係止爪３ｉ’が形成された下部係止突起３ｉが、下部側壁４の外壁面に、一対突設されている。
【００１４】
次に、図５及び図６を用いてカード差し部材Ｋについて説明するが、先ず最初に、図５に示されているように、後述する背板部の前板部とが重なるように組み立てられる前の背板部の前板部が並設された状態に基づいて、カード差し部材Ｋの構成について説明する。
【００１５】
１０は、略方形状の背板部であり、１１は．同じく略方形状の前板部であり、背板部１０と前板部１１とは、その中央部において、薄肉で形成されたヒンジ部１２を介して連結されている。
【００１６】
背板部１０の上端部の表面には、所定の間隔を置いて、上部係止雌部材１３が形成されている。上部係止雌部材１３は、背板部１０の表面に沿って、且つ、背板部１０の上端を越えて上方に延在しており、背板部１０の上端を越えて位置する上部係止雌部材１３の背板部１０表面側には、凹部１３ａが形成されている。また、凹部１３ａの上部を区画する水平板１３ｂには、水平板１３ｂの両端から上方に延在する一対の平行な垂直板１３ｃ及び垂直板１３ｃの垂直端の背板部１０を連結する垂直な連結板１３ｄが形成されており、連結板１３ｄには係止窓部１３ｄ’が形成されている。
【００１７】
背板部１０の表面には、相対する垂直縁に沿って、それぞれ、上下方向に所定の間隔を置いて、係止突起１０ａが突設されており、係止突起１０ａの先端には、外側に向いた係止爪１０ａ’が形成されている。また、上部係止雌部材１３の略中央部に位置する背板部１０の表面には、背板部１０の上端に向かって上り坂の傾斜面１０ｂ’と、上端に向かって下がりの傾斜面１０ｂ”とが形成されている、側面形状が略三角形状の案内凸部１０ｂが形成されている。
【００１８】
係止突起１０ａの内側には、係止突起１０ａに接近して、一対の垂直凸条１０ｃが形成されており、また、背板部１０の下端付近には、垂直凸条１０ｃの下端から水平方向に、所定長さ延在する水平凸条１０ｄが形成されている。また、一方の垂直凸条１０ｃより内側には、両端部に傾斜面１０ｅ’が形成された垂直凸条１０ｅが形成されている。
【００１９】
前板部１１の上端には、中間領域が断絶された一対の水平部１１ａ’と、水平部１１ａ’の外側端部から下方に延在する垂直部１１ａ”とからなる一対のＬ字状の枠部材１１ａが形成されている。また、水平部１１ａ’には、上述した上部係止雌部材１３と同様の下部係止雌部材１４が形成されている。下部係止雌部材１４は、水平部１１ａ’に垂直に形成された垂直板１４ａと、垂直板１４ａの上端から水平部１１ａ’の先端方向に延在する水平部１４ｂと、水平部１４ｂの両端から上方に延在する一対の平行な垂直板１４ｃと、垂直板１４ｃの垂直端の先端側を連結する垂直な連結板１４ｄとを有するとともに、連結板１４ｄには係止窓部１４ｄ’が形成されている。そして、枠部材１１ａの水平部１１ａ’と上部係止雌部材１３の水平部１４ｂとの間に、上述した上部係止雌部材１３の凹部１３ａと同様の凹部１４ｅが形成されている。前板部１１に所定の間隔を置いて形成された下部係止雌部材１４が、入り込めるような凹部１０ｆが、背板部１０の下端部を切り欠くことにより形成されている。
【００２０】
１５は、前板部１１の形成された枠部材１１ａの相対する垂直部１１ａ”に、上下方向に所定の間隔を置いて突設された係止凸部であり、係止凸部１５は、枠部材１１ａの垂直部１１ａ”に対して垂直に延在しており、係止凸部１５には、係止窓１５ａが形成されている。また、前板部１１の下端部には、裏面方向に傾斜した傾斜面１１ｂが形成されている。
【００２１】
上述した構成を有する組立前のカード差し部材Ｃを組み立てるには、薄肉で形成されたヒンジ部１２を折り曲げるように、前板部１１を、前板部１１が背板部１０に重なるように、ヒンジ部１２を中心に回動させるととともに、前板部１１の配設された係止凸部１５の係止窓１５ａに、背板部１０に形成された係止突起１０ａを挿通し、係止突起１０ａの係止爪１０ａ’を、係止凸部１５の係止窓１５ａに隣接したフレームに係止させる。このように、前板部１１に形成された４つの係止窓１５ａを有する係止凸部１５と、背板部１０に形成された４つの係止突起１０ａとにより、背板部１０に前板部１１を係止させて、図６に示されているように、カード差し部材Ｃを組み立てる。
【００２２】
前板部１１には、カード差し部材Ｃを組み立てられた際に、両端部に傾斜面１０ｅ’が形成された垂直凸条１０ｃとは反対側に位置する垂直凸条１０ｃより内側で、且つ、垂直凸条１０ｃに沿った垂直辺１６ａと、前板部１１の上下端に沿って形成された上部水平辺１６ｂと下部水平辺１６ｃと、上部水平辺１６ｂと該上部水平辺１６ｂより長い下部水平辺１６ｃとを結ぶ傾斜部１６ｄ’と垂直部１６ｄ”とからなる傾斜辺１６ｄとにより囲まれた窓部１６が形成されている。
【００２３】
また、カード差し部材Ｃが組み立てられた際には、上述した側面形状が略三角形状の案内凸部１０ｂは、前板部１１の上方に位置しており、また、背板部１０と前板部１１と背板部１０に形成された枠部材１１ａとにより、上方に開口部１７を有するスリット状空間部が形成されるように構成されており、このスリット状空間部にバーコード等が印刷されたカードが挿入されるように構成されている。また、上述した前板部１１に形成された傾斜面１１ｂにより、開口部１７付近は、上方に向かって拡がった楔状の拡張空間が形成されているので、開口部１７からスリット状空間部へのカードの挿入が容易になる。また、スリット状空間部へ挿入されたカードを取り出す際には、窓部１６に指を挿入して、カードを押し上げるようにすると、カードの上端部は、開口部１７から出るとともに、前板部１１の上方に位置している案内凸部１０ｂの上り坂の傾斜面１０ｂ’に当接し、カードの上端部が、背板部１０の表面から離反する方向に移動し、カードの上端部と背板部１０の表面との間に間隙ができるので、この間隙に指を入れて、カードを指で摘むことにより、簡単に、且つ、迅速に、スリット状空間部からカードを取り出すことができる。
【００２４】
前板部１１に形成された窓部１６の上部水平辺１６ｂと下部水平辺１６ｃとの距離は、縦方向に配置されたバーコードが、この窓部１６内に位置するような距離を有しており、バーコードリーダー（スキャナー）が、窓部１６以外の前板部１１をスキャンすることなく、窓部１６を通してのみ、バーコードを読み取ることができるように構成されており、このように構成することにより、バーコードリーダーの読取ミスを防止するように構成されている。また、前板部１１に形成された窓部１６の垂直辺１６ａと垂直部１６ｄ”との距離は、横方向に配置されたバーコードが、同様に、この窓部１６内に位置するような距離を有しており、バーコードリーダー（スキャナー）が、窓部１６以外の前板部１１をスキャンすることなく、窓部１６を通してのみ、バーコードを読み取ることができるように構成されており、このように構成することにより、バーコードリーダーの読取ミスを防止するように構成されている。
【００２５】
上述したようにカード差し部材Ｃが組み立てられた際には、背板部１０に形成された垂直凸条１０ｅと前板部１１との間には、所定の間隙が形成されるように構成されており、従って、上述したスリット状空間部を形成する一対の枠部材１１ａの垂直部１１ａ”間の距離と略同じ幅を有するカードが、スリット状空間部に挿入される際には、垂直凸条１０ｅが邪魔になることがないように構成されている。また、窓部１６の垂直辺１６ａ側に位置する枠部材１１ａの垂直部１１ａ”と垂直凸条１０ｅとの間隔と略同じ幅を有するカードをスリット状空間部に挿入した際には、カードが、垂直凸条１０ｅが越えて移動しないように、垂直凸条１０ｅが、ストッパーとしての機能を有するように構成されているので、カードが移動するようなことがなく、従って、バーコードリーダーによるバーコードの読取ミスを防止することができる。
【００２６】
次に、上述した構成を有する組み立てられたカード差し部材Ｋを、上述した構成を有する折り畳みコンテナーＣに着脱自在に取り付ける工程について説明する。
【００２７】
分割側壁５を構成する上部側壁３の上部土手部３ｆより上端側の外壁面に突設された上部係止突起３ｈ及び下部土手部３ｇの下方の外壁面に突設された下部係止突起３ｉを、カード差し部材Ｃに形成された上部係止雌部材１３の連結板１３ｄに形成された係止窓部１３ｄ’及び下部係止雌部材１４の連結板１４ｄに形成された係止窓部１４ｄ’に  挿通するとともに、係止爪３ｈ’、３ｉ’を、係止窓部１３ｄ’、１４ｄ’に隣接したフレームに係止させる。この際、上部側壁３の上部土手部３ｆ及び下部土手部３ｇは、それぞれ、上部係止雌部材１３のの凹部１３ａ及び下部係止雌部材１４の凹部１４ｅに挿入されるように構成されている。このようにして、組み立てられたカード差し部材Ｋを、折り畳みコンテナーＣに取り付ける。また、上部係止突起３ｈ及び下部係止突起３ｉを、それぞれの係止爪３ｈ’、３ｉ’が、係止窓部１３ｄ’、１４ｄ’に隣接したフレームから離反するようにフレームから遠ざけることにより、係止窓部１３ｄ’、１４ｄ’とフレームの係止状態を解除するとともに、係止窓部１３ｄ’、１４ｄ’から、上部係止突起３ｈ及び下部係止突起３ｉを抜くことにより、カード差し部材Ｋを、折り畳みコンテナーＣから取り外すことができるように構成されている。このように、カード差し部材Ｋは、折り畳みコンテナーＣに着脱自在に取り付けることができるように構成されている。
【００２８】
また、図７及び図８に示されているように、カード差し部材Ｋが取り付けられた折り畳みコンテナーＣを組み立てた際には、カード差し部材Ｋの背板部１０に形成された上部係止雌部材１３の少なくととも上部が、天板１ｂと相対する垂直壁１ｃとにより形成される略逆Ｕ字状の上部フレーム１内に位置するように構成されている。このように構成することにより、カード差し部材Ｋが折り畳みコンテナーＣから外れる方向に移動しようとしても、上部係止雌部材１３が、上部フレーム１の垂直壁１ｃに当接し、それ以上の移動が阻止され、カード差し部材Ｋが折り畳みコンテナーＣから外れることがないように構成されている。
【００２９】
上述した２個の上部係止突起３ｈと２個の下部係止突起３ｉからなるカード差し部材Ｋの取り付け部材は、分割側壁５を形成する上部側壁３に、複数箇所、設けられているとともに、図１、図２、図４に示されているように、下部側壁４にも、複数箇所、設けられている。従って、カード差し部材Ｋを、分割側壁５を形成する上部側壁３及び下部側壁４の所望の箇所に取り付けることができる。下部側壁４に、２個の上部係止突起３ｈと２個の下部係止突起３ｉからなるカード差し部材Ｋの取り付け部材を設け、該取り付け部材にカード差し部材Ｋを取り付けた場合には、カード差し部材Ｋの前板部１１に形成された下部係止雌部材１４の少なくとも下部が、底部６の垂直壁６ａ内に位置するように構成されており、従って、カード差し部材Ｋが折り畳みコンテナーＣから外れる方向に移動しようとしても、下部係止雌部材１４が、底部６の垂直壁６ａに当接し、それ以上の移動が阻止され、カード差し部材Ｋが折り畳みコンテナーＣから外れることがないように構成されている。
【００３０】
なお、カード差し部材Ｋを、分割側壁５を形成する上部側壁３に取り付ける場合には、図９に示されているように、上部フレーム１と上部側壁３とをヒンジ結合している、図示されていない公知のヒンジ部を中心に、上部側壁３を、上部フレーム１に対して、内側に回動させることにより、上部係止突起３ｈと上部フレーム１の垂直壁１ｃとの間隔が大きくなるので、上部係止突起３ｈに、背板部１０の形成された上部係止雌部材１３の係止窓部１３ｄ’を挿通しやすい。
【００３１】
【発明の効果】
本発明は、以上説明した構成を有しているので、以下に記載する効果を奏するものである。
【００３２】
分割側壁に取り付けられたカード差し部材の係止雌部材の少なくとも一部が、上部フレーム或いは底部内に位置するように構成したので、カード差し部材が、折り畳みコンテナーから外れるようなことが防止できる。
【００３３】
分割側壁に係止突起を設けるとともに、カード差し部材には、係止突起が挿通可能な係止窓部が形成された係止雌部材が設けられているので、分割側壁に対するカード差し部材の位置決めが容易であるとともに、カード差し部材の着脱が容易である。
【００３４】
カード差し部材の前板部には、カード差し部材に保持されるカードのバーコードが前板部により覆われないように窓部が形成されているので、バーコードリーダーが、窓部以外の前板部をスキャンすることがなく、窓部を通してのみ、バーコードを読み取ることができ、従って、バーコードリーダーの読取ミスを防止することができる。
【００３５】
カード差し部材のスリット状空間部内に位置する背板部に、凸条を形成したので、カードが移動するようなことがなく、従って、バーコードリーダーによるバーコードの読取ミスを防止することができる。
【００３６】
前板部の上方に位置する背板部に、側面形状が略三角形状の案内凸部を形成したので、カードを押し上げることにより、カードの上端部が案内凸部に乗り上げて、カードの上端部と背板部の表面との間に間隙ができるので、この間隙に指を入れて、カードを指で摘むことにより、簡単に、且つ、迅速に、スリット状空間部からカードを取り出すことができる。
【図面の簡単な説明】
【図１】図１は本発明の折り畳みコンテナーの組み立てられた状態の斜視図である。
【図２】図２は本発明の折り畳みコンテナーの組み立て途中の斜視図である。
【図３】図３は本発明の折り畳みコンテナーの一部とカード差し部材の斜視図である。
【図４】図４は本発明の折り畳みコンテナーの正面図である。
【図５】図５は本発明の折り畳みコンテナーに取り付けられるカード差し部材の組立前の斜視図である。
【図６】図６は本発明の折り畳みコンテナーに取り付けられるカード差し部材の組立後の斜視図である。
【図７】図７は本発明の折り畳みコンテナーの一部とカード差し部材の斜視図である。
【図８】図８は本発明のカード差し部材が取り付けられた折り畳みコンテナーの分割側壁の垂直断面図である。
【図９】図９は本発明の折り畳みコンテナーの分割側壁の一部とカード差し部材の垂直断面図である。
【符号の説明】
Ｃ・・・・・・・・・・折り畳みコンテナー
Ｋ・・・・・・・・・・カード差し部材
１・・・・・・・・・・上部フレーム
２・・・・・・・・・・はね上げ側壁
３・・・・・・・・・・上部側壁
３ｈ・・・・・・・・・上部係止突起
３ｉ・・・・・・・・・下部係止突起
４・・・・・・・・・・下部側壁
５・・・・・・・・・・分割側壁
１０・・・・・・・・・背板部
１１・・・・・・・・・前板部
１３・・・・・・・・・上部係止雌部材
１４・・・・・・・・・下部係止雌部材
１６・・・・・・・・・窓部
【図１】
0004283404.tif 000002
【図２】
0004283404.tif 000003
【図３】
0004283404.tif 000004
【図４】
0004283404.tif 000005
【図５】
0004283404.tif 000006
【図６】
0004283404.tif 000007
【図７】
0004283404.tif 000008
【図８】
0004283404.tif 000009
【図９】
0004283404.tif 000010